(57)【要約】  モニタの生の内視鏡映像を表示するマスクの自動設定を可能にするシステムおよび方法である。映像ノードプロセッサはビデオプロセッサに接続されたとき自動的に検出された固体映像装置（ＣＣＤ）と選択された拡大率に基づいて予め定められたマスク設定を選択する。この情報に基づいてマスクパターンが主メモリで自動的に発生される。合併機能は、情報がライブまたは凍結した映像、捕捉された静止映像に関係するサムネイル映像、ライブの診断情報を含む場合にカットアウトが表示されることを可能にする。ユーザはライブ映像の観察可能な区域、捕捉された映像の表示および他のシステムおよび表示される診断情報のコーナーに対応するフレーム座標位置を選択できる。さらに、システムは予め規定されたマスクを含むように構成されているが、ユーザは付加的なマスクを生成し、またはシステムで規定されたマスクを修正することができる。ユーザ１以上の内視鏡またはビデオクリップ（映像装置）タイプをマスクと関連させることができる。【選択図】    図１
2007503282.tif 000002
【特許請求の範囲】
【請求項１】
内視鏡検査中にオブジェクトの映像を生成する映像装置を有する内視鏡装置からの映像を受取るように構成され、映像を第１のディスプレイ装置上の表示に適したもとの映像信号に処理するビデオプロセッサを具備している患者の内視鏡検査を行うための内視鏡映像システムにおいて、
内視鏡検査中に使用される特定の映像装置の使用を自動的に弁別する手段と、
表示された映像を修正するために拡大比率の特定を可能にするために前記ビデオプロセッサと共同して動作する動作手段と、
前記ビデオプロセッサと通信し、内視鏡検査過程中に前記もとの映像信号を受信し、前記もとの映像信号を捕捉してその捕捉された映像を関連するメモリ装置中に記憶する映像ノードとを具備し、この映像ノードは前記検査中に使用される映像装置を表す第１の情報を自動的に受信し、特定された拡大比率を表す第２の情報を受信する手段を具備し、
さらに、前記受信された第１の情報および第２の情報に応答して前記メモリ装置中のマスク設定を自動的に構成する処理手段を備えており、
前記マスク設定は前記第１のディスプレイ装置上に表示するために前記もとの映像信号から捕捉されるべきビデオ映像部分を規定し、この捕捉されたビデオ映像部分が前記マスク設定にしたがって前記第１のディスプレイ装置の予め定められた部分に表示されることを特徴とする内視鏡映像システム。
【請求項２】
前記第１のディスプレイ装置は前記マスク設定にしたがって前記もとの映像信号からのライブのビデオ映像または捕捉された静止映像部分を表示する請求項１記載の内視鏡映像システム。
【請求項３】
さらに、前記映像ノードと関連して前記もとの映像信号からの前記捕捉されたビデオ映像区域を表示するように構成されている第２のディスプレイ装置を具備している請求項２記載の内視鏡映像システム。
【請求項４】
前記映像ノードのプロセッサ手段はさらに適用されたマスクに応じて前記捕捉されたビデオ映像部分に対応するサムネイルの映像を生成して記憶し、前記マスク設定はさらに前記第１のディスプレイ装置の規定された区域上にサムネイル映像を表示するためにサムネイル映像表示区域を特定している請求項２記載の内視鏡映像システム。
【請求項５】
前記マスク設定は、前記もとの映像信号から前記捕捉されたビデオ映像部分を表示するために前記第２のディスプレイ装置の予め定められた部分を特定している請求項２記載の内視鏡映像システム。
【請求項６】
前記映像ノードのプロセッサ手段はさらに、適用されたマスクに応じて前記捕捉されたビデオ映像部分に対応するサムネイル映像を生成して記憶し、前記映像ノードのプロセッサ手段は前記第２のディスプレイ装置の予め規定された区域に前記生成されたサムネイルの映像を表示できるように構成されている請求項５記載の内視鏡映像システム。
【請求項７】
さらに、ビデオプロセッサおよび内視鏡映像装置のタイプに基づいた１以上のマスク設定を有する前記システムの構成手段と、
捕捉された映像に適用されるべき異なったマスク設定間の切替えを可能にするマスク切替え手段とを具備し、
前記マスク切替え手段はさらにライブのビデオ映像と、捕捉された静止映像部分と、サムネイル映像と、映像なしとの間のユーザによる切替えを可能にするように構成されている請求項５記載の内視鏡映像システム。
【請求項８】
前記もとの映像信号を生成するために前記ビデオプロセッサ装置により処理される実時間フレーム映像信号を生成する固体ＣＣＤ映像手段を具備している請求項１記載の内視鏡映像システム。
【請求項９】
前記映像ノードは、内視鏡手順の過程中に前記もとの映像信号を捕捉するように構成されたビデオ捕捉ボードを備え、前記マスク設定は前記メモリ装置中に前記映像のマスクされた区域だけが記憶されるように捕捉された映像に適用される請求項２記載の内視鏡映像システム。
【請求項１０】
前記映像ノードはさらに内視鏡映像または外部ソースからのその他の映像信号の表示を可能にするための切替え手段を備えている請求項４記載の内視鏡映像システム。
【請求項１１】
前記外部ソースは、蛍光映像または超音波映像をそれぞれ提供する蛍光映像装置または超音波装置を含んでいる請求項１０記載の内視鏡映像システム。
【請求項１２】
さらに、特定の内視鏡装置の動作使用に関する情報を追跡して記録する手段と、
動作使用情報に基づいてマスク設定の切替えを可能にする手段とを備えている請求項３記載の内視鏡映像システム。
【請求項１３】
内視鏡検査中にオブジェクトの映像を生成する映像装置を有する内視鏡装置から映像を受取るように構成され、その映像をもとの映像信号に処理するビデオプロセッサ装置を具備している内視鏡映像装置において、
前記内視鏡検査中に使用される特定の映像装置の使用を自動的に弁別する手段と、
表示された映像を修正するために拡大比率の特定を可能にするように前記ビデオプロセッサ装置と共同して動作する手段と、
前記ビデオプロセッサ装置と通信し、内視鏡検査過程中に使用される映像装置を表す第１の情報を自動的に受信し、特定された拡大比率を表す第２の情報を受信するプロセッサ手段とを具備し、
前記プロセッサ手段は前記受信された第１の情報および第２の情報に応答して前記メモリ装置中に自動的にマスクを設定、
前記マスクの設定はディスプレイ装置モニタ上の表示のために前記もとの映像信号から捕捉されるべきビデオ映像部分を規定しており、
前記捕捉されたビデオ映像部分はディスプレイ装置モニタ上の予め定められた位置に表示される内視鏡映像システム。
【請求項１４】
前記捕捉されたビデオ映像部分は前記マスク設定にしたがって規定された前記ディスプレイ装置モニタ上の位置に表示される請求項１３記載の内視鏡映像装置。
【請求項１５】
前記マスクの設定によって規定された前記ディスプレイ装置スクリーンの予め定められた部分は特定のオブジェクトのコンポーネントを含んでいる請求項１４記載の内視鏡映像装置。
【請求項１６】
１以上の内視鏡映像装置が特定の手順の過程中使用され、前記装置はさらに１以上の内視鏡の使用の全期間を含む動作使用情報を追跡する手段を含んでいる請求項１４記載の内視鏡映像装置。
【請求項１７】
さらに、前記動作使用情報に基づいてマスク設定を切替えることを可能にする手段を含んでいる請求項１６記載の内視鏡映像装置。
【請求項１８】
映像ワークステーションを有する内視鏡システム中のディスプレイ装置を自動的に構成する方法において、
ａ）前記内視鏡検査中に検査されたオブジェクトの映像を生成するための映像装置を含んでいる内視鏡装置を設け、
ｂ）オブジェクトの映像をディスプレイ装置上に表示するのに適したもとの映像信号に変換し、
ｃ）前記映像装置に関する情報を自動的に受信し、
ｄ）表示された映像を修正するために使用されている拡大率に関する情報を自動的に受信し、
ｅ）受信された内視鏡映像装置情報と拡大率の情報とにしたがってメモリ装置中においてマスクを設定し、このマスクの設定はディスプレイ装置に対する前記もとの映像信号から捕捉されるべきビデオ映像部分を規定しており、
ｆ）前記映像ワークステーションに関連するディスプレイ装置の予め定められた部分にライブビデオまたは前記内視鏡から捕捉された映像を表示する自動的構成方法。
【請求項１９】
ライブビデオまたは前記内視鏡からの前記捕捉された映像はマスクの設定によって特定された前記ディスプレイ装置の規定された部分に表示される請求項１８記載の自動的構成方法。
【請求項２０】
さらに、適用されたマスクに応じて前記捕捉されたビデオ映像に対応するサムネイル映像を生成して記憶するステップを含み、前記マスク設定はさらに前記ディスプレイ装置の特定された区域上に前記サムネイル映像を表示するサムネイル映像表示区域を規定するステップを含んでいる請求項１８記載の自動的構成方法。
【請求項２１】
さらに、適用されたマスクに応じて前記捕捉されたビデオ映像部分に対応するサムネイル映像を生成して記憶するステップと、前記ディスプレイ装置の予め規定された区域に前記生成されたサムネイル映像を表示できるようにするステップとを含んでいる請求項１８記載の自動的構成方法。
【請求項２２】
さらに、ビデオプロセッサおよび内視鏡映像装置のタイプに基づいて１以上のマスクを設定された前記映像ワークステーションを構成し、
捕捉された映像に適用されるべき異なったマスク設定間の切替えを可能にするステップを含んでいる請求項２１記載の自動的構成方法。
【請求項２３】
さらに、前記ディスプレイ装置上において表示されたライブビデオ映像と、捕捉された静止映像部分と、サムネイル映像と、映像なしとの間のユーザによる切替えを可能にするステップを含んでいる請求項２２記載の自動的構成方法。
【請求項２４】
さらに、外部ソースからの他の映像信号を含む他の映像情報の受信を可能にし、
捕捉された内視鏡映像の表示と前記外部ソースからの前記他の映像信号とを切替えるステップを含んでいる請求項１８記載の自動的構成方法。
【請求項２５】
前記外部ソースは、蛍光映像または超音波映像をそれぞれ提供する蛍光映像装置または超音波装置を含んでいる請求項２４記載の自動的構成方法。
【請求項２６】
さらに、特定の内視鏡装置の動作使用に関する情報を追跡して記録し、
その動作使用情報に基づいてマスク設定の切替えを可能にするステップを含んでいる請求項１８記載の自動的構成方法。
【請求項２７】
映像ワークステーションを有する内視鏡システム中のディスプレイを自動的に構成する方法ステップを行うためにマシンにより実行可能な命令のプログラムを確実に実行するためのマシンにより読取り可能なプログラムの記憶装置において、
前記方法ステップは、
ａ）前記内視鏡検査中に検査されたオブジェクトの映像を生成するための映像装置を含んでいる内視鏡装置を設け、
ｂ）オブジェクトの映像をディスプレイ装置上に表示するのに適したもとの映像信号に変換し、
ｃ）前記映像装置に関する情報を自動的に受信し、
ｄ）表示された映像を修正するために使用される特定された拡大率に関する情報を自動的に受信し、
ｅ）受信された内視鏡映像装置情報と拡大率の情報とにしたがってメモリ装置中においてマスクを設定し、このマスクの設定はディスプレイ装置に対する前記もとの映像信号から捕捉されるべきビデオ映像部分を規定しており、
ｆ）前記映像ワークステーションに関連するディスプレイ装置の予め規定された部分にライブビデオまたは前記内視鏡からの映像を表示するステップを含んでいるプログラム記憶装置。
【請求項２８】
前記ライブビデオまたは前記内視鏡からの捕捉された映像は前記マスクの設定によって特定された前記ディスプレイ装置の規定された部分に表示される請求項２７記載のプログラム記憶装置。
【請求項２９】
前記方法はさらに、適用されたマスクに応じて前記捕捉されたビデオ映像部分に対応するサムネイル映像を生成して記憶するステップを含み、前記マスクの設定は前記ディスプレイ装置の特定された区域に前記サムネイル映像を表示するためのサムネイル映像の表区域を規定している請求項２７記載のプログラム記憶装置。
【請求項３０】
前記方法はさらに、適用されたマスクに応じて前記捕捉されたビデオ映像部分に対応するサムネイル映像を生成して記憶し、前記生成されたサムネイル映像を前記ディスプレイ装置の予め規定された区域に表示できるようにするステップを含んでいる請求項２７記載のプログラム記憶装置。
【請求項３１】
前記方法はさらに、ビデオプロセッサおよび内視鏡映像装置のタイブに基づいて１以上のマスク設定を有する映像ワークステーションを構成するステップと、
捕捉された映像に適用されるべき異なったマスク間の切替えを可能にするステップとを含んでいる請求項３０記載のプログラム記憶装置。
【請求項３２】
前記方法はさらに、前記映像ディスプレイ装置上において表示されたライブビデオ映像と、捕捉された静止映像部分と、サムネイル映像と、映像なしとの間のユーザによる切替えを可能にするステップを含んでいる請求項３１記載のプログラム記憶装置。
【請求項３３】
さらに、外部ソースからの他の映像信号を含む他の映像情報の受信を可能にし、
捕捉された内視鏡映像の表示と前記外部ソースからの前記他の映像信号とを切替えるステップを含んでいる請求項２７記載のプログラム記憶装置。
【請求項３４】
前記外部ソースは、蛍光映像または超音波映像をそれぞれ提供する蛍光映像装置または超音波装置を含んでいる請求項３３記載のプログラム記憶装置。
【請求項３５】
さらに、特定の内視鏡装置の動作使用に関する情報を追跡して記録し、
その動作使用情報に基づいてマスク設定の切替えを可能にするステップを含んでいる請求項２７記載のプログラム記憶装置。
【発明の詳細な説明】
【技術分野】
【０００１】
本発明は、一般的に映像システムおよび医療用ワークステーションに関し、特にディスプレイ装置、例えばテレビジョンモニタ上の内視鏡映像の生成、処理、および表示に関する。
【背景技術】
【０００２】
現在エンドワーク（Endowork）（以後オリンパス社によって製造されている“ＥＷシステム”をいう）として知られている臨床情報管理システムが存在し、それは患者の看護の種々の異なる段階で患者の検査データを管理することによって内視鏡ラボを自動化する機能を行っている。  
特に、実際の内視鏡のために設計されたＥＷシステムは、包括的な、実時間の、対話的な臨床情報管理システムであり、詳細な種々のレベルで臨床情報、内視鏡映像および関係する患者のデータを管理し組織化して、例えば医者、看護婦、臨床医等の内視鏡使用者によって行われる機能を効率的で容易にする統合された報告特性を有している。
【０００３】
内視鏡手順の性能の統合は、内視鏡映像およびそれに関連する検査データ（例えば患者のＩＤ、従事者情報、内視鏡のＩＤ形式）の実時間提示である。典型的に検査される対象の内視鏡映像信号は内視鏡装置を備えた固体映像装置（例えば電荷結合装置ＣＣＤ）から得られる。発生された出力内視鏡映像信号はビデオプロセッサ装置に入力され、そこで内視鏡映像信号はビデオ信号、例えば、ＮＴＳＣ，ＰＡＬその他のカラー映像表示フォーマットにしたがったビデオ信号に変換され、ＲＧＢ（赤、緑、青）ディスプレイ装置20、例えばテレビジョンモニタに表示されて実時間で観察される。
【０００４】
実際には、特定の手順を行うために使用される内視鏡装置は大きさが異なり、行われる手順に応じてあるタイプの内視鏡はある固体映像装置（ＣＣＤ）の大きさを有している。それに対応して、結果的に表示される映像の大きさは使用される内視鏡の形式に応じて変化される。さらに、検査の過程中に映像観察を助けるために、使用者は映像の拡大を行う可能性がある。ＥＷ7 では、使用者が複数の拡大率の中から１つを選択することができるようにする機能がビデオプロセッサ装置によって与えられる。例えば図１の（ａ）に示されているようにビデオプロセッサ装置は特定のタイプのＣＣＤに対してＴＶモニタスクリーン20上に表示される映像フィールド10を生成する信号を出力する。内視鏡のＣＣＤの型式に対する特定の拡大率の選択、例えば中間、全体の高さの半分の高さまたは全部の高さの選択に対応して、ビデオプロセッサ装置は図１の（ｂ）〜（ｄ）に示されているように映像フィールド10ａ，10ｂ，10ｃのいずれかを表示することができる。
【０００５】
さらに、図１の（ａ）〜（ｄ）に示されているように映像マスク11, 11a, 11b, 11c, 11dが生成されてＲＧＢおよびＶＧＡモニタ上の両者の実時間映像の情景の境界および任意の他の情報のカットアウトを規定する。特に、マスクは特定された区域のスクリーン上で形成された特定の内視鏡装置によって生成された患者の実際の映像部分を表すように構成され、患者の映像でない部分が表示されることを阻止して、同時に表示されるとよい他のグラフィック情報のためのディスプレイモニタのスクリーンのスペースを保留することができる。すなわち、表示される映像区域を規定するのに加えて、マスクは、患者情報、従事する医師、および内視鏡のＩＤタイプ等のような患者内視鏡手順情報25が表示された映像と重なることを避けるようにモニタスクリーン20上に表示されることができるように構成されている。ＥＷシステムにおけるマスクの使用は、ＥＷ7 システム中に設けられた両方のモニタ（ＲＧＢおよびＶＧＡモニタ）上の表示のために図１の（ａ）〜（ｄ）の映像10，10ａ，10ｂ，10ｃにより示されたように選択された映像が拡大されたときに特に重要である。
【発明の開示】
【発明が解決しようとする課題】
【０００６】
現在ＲＧＢディスプレイ装置上の映像の実時間表示のために使用される任意のマスク設定は内視鏡手順の実行に先立って手動で行われている。検査の過程中に異なった拡大率が選択されたとき、使用者はマスク設定を再構成することがさらに必要となる。
【０００７】
したがって、表示された内視鏡映像フィールドに対するマスク設定を自動的に行い、それによって、異なったサイズの内視鏡映像装置（ＣＣＤ）を有する内視鏡装置の使用において、或いは異なった拡大率が選択されたとき看護している使用者がマスク設定を手作業で行う必要をなくすことのできるシステムを提供することが非常に望ましい。
【０００８】
したがって、本発明の目的は、モニタ装置上に内視鏡映像を生成し、処理し、表示する優れたシステムおよび方法を提供することである。
【０００９】
さらに、本発明の目的は、健康管理者により使用されている特定の内視鏡装置に基づいた実時間映像および捕捉された静止画像または動画像の表示のための適切なビデオマスクを自動的に選択する実時間内視鏡映像ディスプレイシステムのための映像表示マスク機能を提供することである。
【００１０】
本発明のさらに別の目的は、健康管理者により使用されている特定の内視鏡装置および映像表示のために選択された特定の映像拡大率に基づいた実時間映像および捕捉された静止画像または動画像の表示の生成のための適切なビデオマスクを自動的に選択する実時間内視鏡映像ディスプレイシステムのための映像表示マスク機能を提供することである。
【課題を解決するための手段】
【００１１】
本発明の好ましい特徴によれば、内視鏡検査の過程中においてデジタル映像を捕捉し、その映像をメモリ装置中に記憶するように構成された映像ノードと、内視鏡検査の過程中に映像を受取ってモニタに表示するのに適するようにその映像を処理するビデオプロセッサ装置とをさなえた内視鏡システムのための自動マスク設定システムが提供される。そのシステムは、内視鏡検査中に検査される組織の映像を受取る特定のビデオプロセッサ装置の使用を弁別する手段と、映像装置に関する情報を自動的に受信する手段と、内視鏡のタイプと映像装置情報とにしたがってメモリ装置中のマスク設定を行う手段と、このマスク設定によって特定されたディスプレイ手段の表示スクリーンの予め規定された部分に前記内視鏡からのライブビデオまたは捕捉された映像を表示するディスプレイ手段とを具備している。
【００１２】
映像ディスプレイ自動マスクの特徴は、包括的な、ブラウザベースの、医療情報管理システムにおいて実行され、そのシステムは、ユーザが注解をし、ラベルを付け、導入し、出力し、および映像の品質を強化することを可能にする映像管理機能を含み、管理、記録、およびライブビデオクリップの出力する能力を含んでいる。
【発明を実施するための最良の形態】
【００１３】
本発明の目的、特徴および効果は、添付図面を参照する以下の詳細な説明により当業者には明白になるであろう。  
図２に示されたＥＷ7 の特定の構成では、内視鏡のライブ映像を受取るビデオプロセッサ装置22のビデオ映像信号出力は、インターフェース15を介してＥＷ映像ワークステーション50（映像“ノード”）へ送られ、そのワークステーション50でビデオ映像信号は捕捉され、さらに、分離したモニタ、例えばＶＧＡグラフィックモニタ55のような映像ワークステーションディスプレイ装置で表示され、その保存されたアスペクト比を有するＲＧＢモニタのスケールされたバージョンである。以下詳細に説明するように、実行者により開始されたとき、ビデオ映像信号は捕捉されて処理され（デジタル化され）、映像ノードでメモリに記憶される。捕捉に利用される静止映像のみならず、ライブ運動映像クリップがさらに捕捉されることができ、ＥＷシステムのメモリまたはサーバのデータベース中に記憶される。ＥＷシステムの映像ノードは、特にユーザが、ライブビデオクリップを管理し、記録し、導出する能力を含み、註解を付け、ラベルを付け、導入し、導出し、映像の品質を高めることを可能にする映像管理機能を行う。捕捉された各映像／映像クリップは特定の患者に関連され（すなわち結合され）、キーのエントリ、例えば患者の氏名によりアクセスされることができるようにする。
【００１４】
図３は、実時間内視鏡映像を発生し、処理し、表示するための内視鏡ラボ100 のブロック図である。図３に示されているように、システムはコネクタ装置によりビデオプロセッサ装置、例えばオリンパスのＣＶ-160型装置に接続された内視鏡装置を含んでいる。前述のように、内視鏡装置は実時間フレーム映像信号を発生する固体ＣＣＤ映像装置を含み、例えば同時に発生されたＲＧＢ信号はビデオプロセッサ装置によって処理されて、ＲＢＧモニタ20上に表示するために実時間ビデオ信号を発生する。示されているように、ビデオプロセッサ装置はさらに通信インターフェース15を介して映像ノード50、例えばパーソナルコンピュータ（ＰＣ）またはワークステーション50に接続され、その映像ノード50はプロセッサ60と、実時間ビデオ映像を捕捉して映像をデジタル化するためのビデオフレーム捕捉ボードと、捕捉されてデジタル化された映像を記憶するメモリ70とを備えており、例えば、第２のモニタ、例えばＶＧＡモニタ装置55に映像のスケールされたバージョンをさらに表示するビデオディスプレイ装置駆動素子を含んでいる。１実施形態では、映像ノード50に設けられたプロセッサはマトロックス・オリオン（Matrox Orion、カナダノケベックのMatrox電子システム社から入手可能）を含み、それはビデオプロセッサからのＮＴＳＣ／ＰＡＬフォーマットの標準的なアナログ複合およびＹ／Ｃビデオを捕捉し、ＮＴＳＣ／ＰＡＬフォーマット中のＲＧＢ成分を捕捉するためのアナログ・デジタル変換器を備えている。捕捉されたフィールドは映像ノードの主メモリ70中に記憶される。マトロックスボードに設けられたクラフィック制御装置（図示せず）はＶＧＡディスプレイの出力を処理し、グラフィックオーバーレイおよびビデオスケーリングを含んでいる。
【００１５】
さらに説明すると、映像捕捉ボードはさらに以下のビデオ入力信号源の任意のものから、すなわち：標準的なＮＴＳＣ（または随意的にＰＡＬ）複合信号ＲＧＢまたはＹ／Ｃビデオ（随意的に形式に依存している）から映像を捕捉することができる。映像捕捉ボードは、例えば、各ＲＧＢ成分に対して８ビットのカラー深度で、（全ＰＡＬフレームから、全ＮＴＳＣフレームは６４９画素×４８０ラインである）サイズで７６８画素×５７６ラインの解像度で映像をデジタル化することができる。全スクリーン映像を捕捉する充分な能力を備えている。映像捕捉ボードはさらにＲＧＢおよびＮＴＳＣコンポーネントの両者の複合インターレースビデオ信号をこのワークステーションによりサポートされるインターレースされたモニタ上に表示するために出力させることができる。しかしながら、ＰＡＬの対応出力もまたサポートされる。ここで詳細に説明したように、ビデオ信号のグラフィックのオーバーレイ情報（患者情報データのようなテキストを含む）をサポートするために、映像捕捉ボード60はビデオ入力信号の任意の所望の部分をマスクして除去することができる。映像捕捉ボード60はさらに多重ビデオ入力信号タイプ（ＲＧＢおよび複合信号のような）の同時接続を可能にし、ソフトウエア制御下でそれらの間の切替えが可能である。
【００１６】
図４および５のＥＷシステムのさらに詳細なブロック図で示されているように、映像ノード50に設けられているビデオディスプレイ装置駆動素子65は２個の同一の全部内視鏡検査の実時間可視表示をサポートする。図４に示されているようにＲＧＢモニタ20は検査にたずさわる医療関係の人々に対する第１の可視出力装置である。図５に示されているようにＶＧＡディスプレイ装置55に出力を与える第２のディスプレイ装置はウインドウズ（登録商標）のアクチブＸコンポーネントにおいて表示される。映像ノードプロセッサ60は、映像ワークステーションまたはＰＣ50のMatrox Orion映像（フレーム）捕捉ボード65の駆動素子によりＲＧＢモニタ20ならびにＶＧＡディスプレイ装置55の両者を駆動する。図４および５に示された実施形態にはＣＣＤタイプで選択された拡大率の自動認識装置が一体化されている。すなわち、映像ノード50とビデオプロセッサ装置40との間の通信が行われ、それによりノードにおける処理はビデオプロセッサ装置40に質問して使用されている内視鏡またはビデオチップの形式を決定する。例えば、１実施形態によれば、ＥＷ映像ノード50のソフトウエアは、型式、製造番号、内視鏡ＩＤ、チャンネルのサイズおよび修復情報を含むビデオプロセッサ装置との通信によって内視鏡装置と関連する内視鏡チップ情報を獲得する。選択された拡大率を伴うＣＣＤタイプの情報は適切なマスク設定を表示するのに充分であることが理解される。
【００１７】
本発明によれば、自動化されたマスクの特徴は、使用されている内視鏡装置25に基づいた適切なビデオマスクを自動に選択することである。内視鏡検査の第１の可視出力を提供するために示され、図４を参照にして説明されたシステム100 に対応して、本発明によるＲＧＢモニタ20に実時間ライブ映像を与えるための自動化されたマスクの特徴の動作について以下詳細に説明する。図４に示されているようにMatroxビデオ捕捉装置65はビデオプロセッサ40からライブビデオ信号ＲＧＢ映像フィールド10を捕捉して、捕捉された映像フィールド10を映像ノード50の主メモリ70に転送する。映像ノード50は通信インターフェース15を介してビデオプロセッサ40と通信して現在の内視鏡検査で使用されるＣＣＤのタイプおよび選択された拡大率（例えば中程度、全高の半分、全高）を含む情報を獲得する。映像ノードのプロセッサ60はこの情報を受取ってＣＣＤのタイプおよび選択された拡大率に基づいて予め定められたマスク（例えばマスク11）を選択し、主メモリにおいてマスクパターンを生成する。前述のようにビデオマスク11はスクリーンの１以上の部分が観察され、一方それとバランスする部分が隠されるまでまず設定される。最後に、映像ノード50はフィールド映像10とマスク11を効率的に合併する処理を行い、合併されたマスクおよびフィールド映像を捕捉ボード65のフレームメモリへ転送し、そこでＲＧＢビデオ信号がフレームメモリからのデータに基づいて発生される。発生されたＲＧＢビデオ信号はビデオプロセッサ40を通ってＲＧＢモニタ20に供給される。以下説明するように、合併処理中、患者診断および内視鏡情報のような付加的なデータ25がマスクの特定された部分、例えば捕捉された静止映像またはライブビデオクリップが合併される可視区域の付近に付加的に重ねられる。さらに別の処理によって、ユーザにより開始されたときに、ＥＷアプリケーション獲得フレーム機能がさらに所望の映像を捕捉して、静止映像を記憶し、静止映像を圧縮し、サムネイルバージョンを生成する機能を開始し、そのサムネイルバージョンは一時的に映像ノードのメモリ中に記憶されてＲＧＢおよびＶＧＡモニタの両者により表示するために処理される。
【００１８】
フレーム獲得に関して、コード化技術が使用され、それは２つの非同期の獲得バッファの使用を含み、論理装置は２つのフィールド映像フレームをバッファ（図示ぜず）中に獲得した後ユーザ書込み“フック”を呼出す。１つのバッファのフィールドはファイルされ、フック機能は同時に他のバッファの内容を処理する。この代わりの技術はスループットを最大にする効果を有している。フック機能中に、オーバーレイバッファはここに記載された患者情報を含み、ウインドウズ（登録商標）の“Ｂｌｔ”機能を使用している映像獲得バッファと合併される。このバッファの組合わせは類似の機能を使用してＲＧＢディスプレイ装置と関連する映像バッファと合併される。
【００１９】
さらに、特に、映像ノードの初期化において、実行ソフトウエアが自動マスク規定のためのサーチ開始して、現在の内視鏡検査で使用されるＣＣＤのタイプおよび拡大率を含む情報に基づいてビデオバッファを初期化する。そうでなければ、そのノードに対するデフォルトマスク、例えば“１次”マスクがビデオバッファを初期化するために使用される。使用されるビデオ形態設定に基づいて、ビデオバッファはＲＧＢまたは複合映像信号のような入力信号によって初期化される。検査過程中にユーザが異なった拡大率を選択する場合には、実行ソフトウエアが自動マスク規定のためのサーチを開始して、選択されたＣＣＤのタイプおよび拡大率に基づいて映像ノード中のマスク設定特徴を変化させる。
【００２０】
図６は例示的なＲＧＢモニタディスプレイ20を示しており、それはアニメーション化された実時間内視鏡映像を表示するためのカットアウト76、患者情報、例えば患者の氏名、患者のＩＤ、および与えられた検査のタイプを与える情報の３つの行を表示するためのカットアウト77、選択された以前に捕捉された静止映像のスケールされたサムネイルバージョンを表示するためのカットアウト78を含む複数のマスク“カットアウト”を含んでいる。さらに、ディスプレイ20中には映像番号75が示されており、それは静止映像捕捉シーケンス中の特定の映像の順序の位置であり、以下詳しく説明するように、ライブビデオ捕捉がこの目的で構成された内視鏡ヘッドボタンにより選択されたときにテキストストリング“記録”を表示する記録インジケータである。さらに設けられる指示はタイマー指示であり、それはスコア入力期間の計算を開始するように構成された内視鏡ボタンが押されたときにテキストストリング“タイマー”を表示する。図示されていないが、さらに別のビデオ状態指示手段が設けられて、例えばビデオ映像が内視鏡ヘッド制御装置により凍結されるときの“凍結”のような用語により例示される。重要性およびサイズの両者に関して１次カットアウトはライブビデオディスプレイに残る。ユーザは、内視鏡装置を変更するとき異なった可視カットアウト“マスク”により切替えることができ、各選択は上記カットアウトに対してその自己の方形の規定を有している。ＲＧＢディスプレイは各新しいマスクの選択によって瞬時に更新される。
【００２１】
上述したように、ＲＧＢモニタ上に表示された映像アクチビティの同時表示はまたＥＷシステムアプリケーションのアクチブＸコンポーネント内のウインドウ中にも示されている。しかしながら、このディスプレイは何等他のマスク情報を含んでおらず、それは捕捉されたライブ映像のみを示している。したがって、図３を参照にして示し、説明したように、本発明により例えばＶＧＡモニタ55のような２次ディスプレイ装置に実時間ライブ映像を表示するための自動マスク特徴の動作は図５に関してより詳細に以下説明する。図５に示されているように映像ノード50はMatroxビデオ獲得装置65により与えられた疑似ライブ獲得機能を実行する。この機能により、Matroxボードはビデオプロセッサ40からの捕捉されたＲＧＢ映像10を書込み、捕捉された映像フィールド映像10をアクチブＸ設定に基づいてＶＧＡバッファメモリ72に送る。ビデオマスク処理の場合のようにアクチブＸウインドウ12の観察出力を規定するカットアウト区域12を有するアクチブＸウインドウオブジェクトはさらに主メモリ70中で発生され、それはマスク中の内視鏡映像がＶＧＡモニタスクリーン中に配置される場所を規定する。すなわち、アプリケーションは捕捉された映像スクリーンを構成してウインドウスクリーン上にオブジェクトを位置させる。ＲＧＢ出力ディスプレイに対して選択されマスクと同様にアクチブＸカットアウト規定はユーザにより選択されたＣＣＤタイプおよび拡大率に付加的に基づいている。
【００２２】
図７は本発明により生成された例示的なアクチブＸ制御装置とＶＧＡディスプレイ装置を示している。  
図示のようにＶＧＡディスプレイ装置80は保存されたアスペクト比を有するＲＧＢディスプレイのスケールされたバージョンを含んでいる。現在のマスク設定の説明82はＲＧＢおよびＶＧＡディスプレイ装置の両者で観察される実時間映像の境界を規定するために使用される現在の方形座標のセットと関連しており、それにプラスして対応するＲＧＢモニタディスプレイのみに表示される次のような他の情報のカットアウトと関連している。すなわち、それらの情報のカットアウトには；選択されたとき現在のフレームの同期的な獲得を行いそれを映像ノードのコンピュータハードドライブに書込み、映像捕捉ストリップ中およびＲＧＢサムネイルカットアウト中にそのサムネイルバージョンを表示する静止捕捉ボタン84と、；選択されたとき単一の映像の詳細な解析のためにＲＧＢおよびＶＧＡディスプレイの両者でライブ表示を継続する切替え凍結／非凍結ボタン86と、；選択されたときプロセッサおよびＭＩＬ（Matrox映像ライブラリ）ソフトウエア環境の手動再起動を行うプロセッサ再起動ボタン88と、；選択されたとき１以上の記録されたビデオクリップの消去を可能にするライブクリップ消去ボタン90との各情報が含まれている。検査のための全ての記録されたビデオクリップの全体の時間は２分を越えることはできない。例えば、その他の長さの時間も許容可能であるが、；スタート／ストップライブ捕捉ボタン92は、選択されたときライブビデオ捕捉のスタート／ストップの切替えを開始する（例えば２分の全記録時間制限が到達されたとき自動的に停止する）。；ライブ捕捉時間の残留時間タイマー指示器94は現在利用可能なライブビデオ記録秒の数のカウントを示す。この説明では記憶に利用できるビデオクリップは２分以内に制限されるが、当業者は実行される特定のハードウエア環境に応じてこの制限は変化可能であることを容易に認識するであろう。さらに特徴には、切替えマスクボタン96が含まれ、それは、選択されたとき、ドロップダウンリストからの選択によりマスクを別のものに変更させる。この機能は別のマスク選択に切替え、以下さらに詳しく説明するようにノード設定インターフェースを介してアプリケーションノード設定中で識別される第２のマスクを必要とする。ＶＧＡディスプレイ上のさらに別の指示は現在のプロセッサの状態についての情報を提供するプロセッサ状態指示98である。ここでさらに詳しく説明するように、映像ノード設定におけるユーザ構成設定およびハードウエア能力に応じてライブ捕捉、静止捕捉、凍結およびマスク切替え機能はまた内視鏡装置のヘッド（或いは可能であれば足踏みスイッチ）から指令されることができる。アプリケーション内で構成されたとき、“タイマー切替え”機能は内視鏡ヘッド制御装置を介して付加的に利用可能であり、それは内視鏡イン時間を計算する。
【００２３】
ＶＧＡ映像フレーム獲得はＭＩＬの言い方では“連続的な、疑似ライブ”獲得であることが理解される。それらはＶＧＡディスプレイ装置と関連する映像バッファ72（図５）に対して直接Matrox Orion  ＰＣボードのハードウエア能力を使用する。上述のようにＶＧＡアクチブＸカットアウトに適合するように映像がスケールされることが必要であり、それによりそれらは真の“ライブ獲得”ではない。ＲＧＢおよびＶＧＡ映像とは異なり、獲得はフレームレベルではなくフィールドレベルであり映像ではないカットアウトはその上に重ならない。したがって、ウインドウズ（登録商標）またはＭＩＬ“bliting ”は含まれず、それを遥かに簡単な構成にする。
【００２４】
図８は例示的なシステム管理ノード設定インターフェース120 を示しており、それは小独楽映像ノードおよび、特にビデオ設定の属性を示している。特に、この設定ページ120 によって、本発明の“自動マスク”設定125 はＥｎｄｏワークシステムシステムにおいて可能になる。さらに、示されているように、自動マスク設定以外に２つの他のシステム設定が利用可能である。すなわち、利用可能なビデオ設定のドロップダウンリスト126 により選択された１次設定と、個々のノードに対するビデオマスクをユーザが規定することができるドロップダウンリスト127 とにより選択された２次設定である。利用可能なユーザまたはシステム規定マスクの任意のものが選択されることができる。ここで説明されるように、ユーザが自動マスクの１次設定と２次設定とを手作業で切替えることができるようにされる。これらの設定によりユーザが自動マスク設定を無効にすること、またはビデオ捕捉カードに対する入力信号を変化することが可能にされる。例えば、ＮＴＳＣ複合ビデオ信号を供給する蛍光顕微鏡システムがＲＧＢビデオプロセッサと共同して使用されるならば、ユーザはどちらの映像をユーザが観察または捕捉することを好むかによってマスク設定を変更することによってビデオ入力を手作業で切替えることができる。ユーザは個々の各ＥＷ映像モードに対して１次または２次ビデオマスク設定を規定することができる。任意の利用可能なユーザまたはシステムにより規定されたマスクが選択されることができる。
【００２５】
図９は例示的なシステム管理自動マスク設定インターフェース150 を示しており、それはユーザがビデオプロセッサと内視鏡ビデオチップの組合わせをシステムまたはユーザ規定マスクへマップすることを可能にする。特に、ＥＷシステムではこの機能は映像ノードに対するビデオおよび自動マスク設定を行うために本質的に与えられる。図９に示されるように、ユーザは特定の内視鏡映像装置（ＣＣＤ）のタイプ155 、例えば使用される内視鏡の標準のタイプと調和したドロップダウンメニュー153 からＥＷシステムに含まれるビデオプロセッサタイプを選択することができる。以前に規定された特定のビデオ設定158 はユーザにより付加的に選択され（例えば記述氏名）、それはビデオ構成を記述し、すなわち、選択されたプロセッサおよびチップタイプに対応するモニタに表示されるライブビデオ，サムネイルおよび患者情報の位置を規定する。ユーザ選択は新しい自動マスク設定にマップされる。したがって、映像ノード初期化の一部として、デフォルトビデオ設定およびマスク設定はＲＧＢおよびＶＧＡモニタの両者における映像の観察のために自動的に設定され、これは特定の内視鏡，固体映像装置、および特定の手順のために構成されたビデオ設定に対して設定される。
【００２６】
図１０Ａは例示的なシステム管理ビデオ設定インターフェース170 を示しており、それはビデオ構成設定の追加、変更、消去をユーザが行うことを可能にし、さらに付加的にＲＧＢモニタに情報がどのように表示されるか規定するようなマスク設定を可能にする。ビデオ設定リストスクリーン170 にアクセスするためにユーザは図に示された管理(Admin) タブにナビゲートしてスクリーンの左側に与えられたメニュー選択から“構成(Configuration) ”を選択する。利用可能な構成オプションｔが表示され、それからユーザが“ビデオ設定”を選択することができる。それに応じて、ビデオ設定リストスクリーン170 は例えば名称によりアルファベットで検索して現在規定されたビデオ設定172 を与える。ユーザはビデオ構成を消去してもよい（それは映像ノードと関連しないで与えられる）が、しかしながら、アプリケーションデフォルト設定は消去または変更しなくてよい。
【００２７】
新しいビデオ設定記録を追加するために、図１０Ａのビデオ設定リストスクリーンは新(New) ボタン175 にアクセスしてそれをユーザがクリックすることを促す。それによりビデオ設定インターフェーススクリーン180 が図１０Ｂに示されているように表示され、それはユーザが名称フィールド177 中に新しいビデオ構成に対する名称を割当て、ビデオ信号ドロップダウンリスト178 からソース信号を選択し、アクチブチェックボックス179 をクリックして利用可能な構成設定を行うことを可能にする。さらに、ビデオ設定インターフェーススクリーン180 を介して、ユーザはマスク設定セクション190 中のライブビデオ183 、サムネイル185 、および患者情報188 のそれぞれに対して上部192 、左部194 、下部196 、右部198 映像フレーム座標設定を割当てることによりマスク設定190 を規定することができる。その後、このビデオ構成に対するマスク設定が保存され、表１に示されるようにビデオ設定記録中に記憶される。ユーザが図１０Ａに示されたビデオ設定リストスクリーンにアクセスすることによってビデオ設定記録を変更することが可能であり、その後変更されるべき記録の次の詳細アイコン177 を選択することを理解する必要がある。ビデオ設定スクリーンは図１０Ｂに示されているように表示され、それにおいてユーザは所要の変更を行うことが可能である。
【表１】
2007503282.tif 000003
【００２８】
検査中ＥＷシステムにより使用される内視鏡装置自体は、例えばＥＷシステムの映像ノードにおいてある機能を可能にするために、装置ヘッドにおいてプログラム可能な機能ボタンを含んでいてもよいことは本発明のさらに別の特徴である。すなわち、図３のシステム100 はＥＷ映像ノードコンピュータとビデオプロセッサ（例えばオリンパスアメリカ社により製造および販売されているＣＶ-160）との間に通信リンクが設けられ、内視鏡ヘッドのボタンが押されたとき、ビデオプロセッサはボタンが押されたことにより示されるコンピュータに信号を送信する。ＥＷシステムのソフトウエアは、ユーザが選択したボタンによりあるＥＷシステムの機能と関連付けることを可能にすることによってこのＣＶ特徴を使用できるようにする。次のＥＷ7 の切替えシステム機能は以下のものを含んで内視鏡装置のボタンにより行うことができる。すなわち：１）ライブビデオ記録機能を含む映像捕捉機能の開始ボタン、２）検査タイマー切替え、３）デフォルト、１次、２次ビデオ設定のビデオマスクの切替え、４）ライブビデオの捕捉の切替え、５）機能なし（すなわち、システムは特定されたビデオプロセッサの機能を使用する）を含むことができる。
【００２９】
内視鏡ヘッドボタンに対する映像ノード機能の関係は図８に示されたノード設定インターフェース120 を介して行われ、この図８は映像ノード設定の構成をユーザがさらに設定することを可能にするＥＷシステム内のインターフェーススクリーンを示しており、それにはここで記載した１次マスク、２次マスク、および自動マスク機能の構成に加えて、ノード名称、位置、ノードの物理的アドレス、取付けられた内視鏡装置、および映像ノードにおけるビデオカードの構成（例えばMatrox Orion）、入力ビデオのタイプ、通信ポート等が含まれている。特に、ＥＷシステムでは、システム管理機能は内視鏡に対してユーザがボタン設定を可能にする機能が与えられている（ボタン設定は内視鏡のタイプとは無関係である）。したがって、図８に示されているように、ドロップダウンメニューは内視鏡に設けられた４個のボタンのそれぞれに対して利用可能である。図８に示された例示的なインターフェーススクリーンでは、“ボタン１”として示されたボタンは記録ビデオを切替えるためにドロップダウンメニュー131 から選択された機能と関連しており、“ボタン２”として示されたボタンはタイマーを切替えるためにドロップダウンメニュー132 から選択された機能と関連しており、“ボタン３”として示されたボタンはドロップダウンメニュー133 から選択された機能と関連しており、“ボタン４”として示されたボタンはマスク設定を切替えるためにドロップダウンメニュー134 から選択された機能と関連している。手順を行う過程において、内視鏡上のボタンからではなく、ユーザは自分の内視鏡を介してまたは図７を参照にしてここで示され説明されたＶＧＡアクチブＸインターフェーススクリーンを介してこれらの機能を開始することが可能である。
【００３０】
切替えマスク機能に関して、ユーザは３つのビデオ設定（自動マスク、１次、２次）の間の切替えを可能にされている。システム管理者が自動マスク設定を適用したならば、ユーザはこれらのビデオ設定間の切替えか、新しいビデオ設定の選択かのいずれかを行う。ユーザが内視鏡をシステムに接続したとき、デフォルト自動マスク設定が適用される。内視鏡ヘッドに位置するボタンからのＥＷシステム機能の実行とは別に、ユーザは、図１１に関してここに示された映像捕捉スクリーン200 からの機能を開始することができる。すなわち、図１１に示されるように、映像捕捉スクリーン200 を介して、ユーザは図７に関して説明したようにマスクドロップダウンリストの次に位置するマスク切替ボタン96を選択することにより自動マスク設定間の切替えを可能にされる。自動マスク設定は１次設定に変化する。ユーザがマスク切替ボタンを追加の時間クリックするならば、１次設定は２次設定に変化する。さらにクリックするならば、自動マスク設定に変化してデフォルト自動マスク設定に戻る。
【００３１】
内視鏡手順中のＥＷシステムの映像捕捉機能に関連して、ユーザは映像を捕捉してビデオクリップを記録することができる。ユーザはさらに映像を修正および消去して、それらを報告文書に取入れることができる。図１１は本発明によりＶＧＡモニタに設けられた例示的な映像捕捉スクリーン200 を示しており、それはアクチブＸ制御装置（図７）を介して与えられたライブビデオ映像80を含み、さらに映像捕捉機能を与える映像捕捉スクリーン部分210 を含んでいる。図１１の捕捉スクリーンに現れているアイコン215 は映像捕捉機能を開始し、以下のものを含む映像の修正を行う。すなわち、：現在の検査から選択された映像を消去し、臨床レポートを印刷し関連させる選択された映像にマークし、印刷のために選択された映像のマークを除き、より大きい映像を観察し、或いはメニューを示しまたは隠す動作を行う。映像捕捉スクリーンにアクセスするために、ユーザは手順タプにナビゲートして検査を選択し、スクリーンの左側に示されたメニュー選択から捕捉映像機能を選択する。特に、映像を凍結し捕捉するために、静止捕捉アイコン84が図７に関して説明されたようにユーザによりクリックされる（選択される）。捕捉された１または複数の映像220 はユーザの判断により順次映像捕捉スクリーン部分210 に表示され、順次記憶され、消去され、または印刷される。類似したイベントのシーケンスがビデオクリップ記録のために利用可能であることを理解すべきである。
【００３２】
図１１の映像捕捉インターフェーススクリーン200 にさらに示されているように、内視鏡情報セクション225 が表示されて例えば手順中に内視鏡の形式が変更されるときに内視鏡情報の選択を可能にする機能を与えている。内視鏡情報はさらに記憶された情報およびＥＷシステム内で発生され、記憶された対応するレポートおよび患者の記録と関連される。ユーザは付加的にアイコンを選択することによりサーチモードを選択することができ、それにより、ユーザは付加される必要のある特定の内視鏡をドロップダウンリストから位置させることができる。サーチアイコン（直列番号でリストされている）により、モデル番号が直列番号に加えて選択される。特定の手順に対して、ユーザはタイムウイコン230 を選択し、また現在の時間を選択することが可能であり、或いはその代わりに手作業で入力させることができる。較正期間アイコン235 をクリックすることにより、システムはその手順に対する内視鏡使用期間を計算し、さらに、内視鏡が使用された全体の期間の時間を計算することができる。
【００３３】
好ましい実施形態では、ＥＷシステムは内視鏡のインおよびアウト時間を自動的に収集するためにユーザがシステムをプログラムすることを可能にしている。すなわち、手順で使用される内視鏡の自動認識および識別において、内視鏡のインおよびアウト時間を表す時間スタンプが自動的に捕捉される。システムはまた、図８に示されたノード設定スクリーン上に割当てられた“タイマー切替え”の内視鏡のボタンを押すことによりユーザが内視鏡のインおよびアウト時間を手作業で収集することを可能にする。これはユーザが手順中に内視鏡を変更するときに特に有用である。例えば、図１１に示されたように、特定の手順中に、例えば全体で３０分の期間に対して、第１のものが１０分使用され、第２のものが全体で２０分使用されるような特定の手順中に２つの内視鏡形式が使用される。
【００３４】
以上本発明の好ましい実施形態と考えられるものについて説明したが、もちろん本発明の技術的範囲から逸脱ことなく、形態および詳細について種々の変形、変更が容易に可能であることが理解されるであろう。したがって、本発明は、ここに記載され、図示された正確な形態に限定されるものではなく、特許請求の範囲に記載された本発明の技術的範囲に含まれる全ての変形、変更をカバーするように構成されることを意図している。
【図面の簡単な説明】
【００３５】
【図１】従来技術による特定の内視鏡ＣＣＤ映像装置タイプとその内視鏡ＣＣＤ映像装置タイプに対する選択された拡大率に対するＲＧＢタイプモニタスクリーン上に表示された例示的なライブ内視鏡映像フィールドの概略図。
【図２】本発明の特徴によるライブ内視鏡映像を表示するための第１のディスプレイ装置を備えているビデオプロセッサ装置と、第２のディスプレイ装置を含む映像ワークステーションとの間の通信を示す説明図。
【図３】実時間内視鏡映像の発生、処理、および表示のための内視鏡ラボのブロック図。
【図４】ウインドウズアクチブＸコンポーネントに表示される全体の内視鏡検査のための実時間可視ＲＧＢモニタのディスプレイをサポートする映像ノード処理手段の詳細なブロック図。
【図５】ウインドウズアクチブＸコンポーネントに表示される全体の内視鏡検査のための実時間可視ＶＧＡモニタのディスプレイをサポートする映像ノード処理手段の詳細なブロック図。
【図６】複数のマスクカットアウトを含む例示的なＲＧＢモニタディスプレイを示す説明図。
【図７】本発明により生成されたアクチブＸ制御装置およびＶＧＡディスプレイの１例を示す説明図。
【図８】本発明による個々の映像ノードおよび特にビデオ設定の影響を示す例示的なシステム管理ノード設定インターフェース120 を示す説明図。
【図９】本発明によるビデオプロセッサとシステムに対するビデオチップまたはユーザの規定したマスクの組合わせをユーザがマップすることを可能にする例示的なシステム管理自動マスク設定インターフェース150 を示す説明図。
【００３６】
特定の本発明により形成された電気刺激装置の概略図。
【図１０Ａ】本発明によるユーザがビデオ構成設定を追加し、修正し、消去することを可能にし、さらに付加的にマスク設定することを可能にする例示的なシステム管理ビデオ設定インターフェース170 を示す説明図。
【図１０Ｂ】ユーザがマスク設定を新しいビデオ構成に割当てることを可能にする例示的なビデオ設定インターフェーススクリーン180 を示す説明図。
【００３７】
特定の本発明により形成された電気刺激装置の概略図。
【図１１】本発明による映像ライブ映像捕捉、内視鏡情報の選択、および内視鏡期間（イン／アウト）の時間の追跡を可能にする機能を行う例示的な映像捕捉インターフェーススクリーン200 を示す説明図。
【図１Ａ】
2007503282.tif 000004
【図２】
2007503282.tif 000005
【図３】
2007503282.tif 000006
【図４】
2007503282.tif 000007
【図５】
2007503282.tif 000008
【図６】
2007503282.tif 000009
【図７】
2007503282.tif 000010
【図８】
2007503282.tif 000011
【図９】
2007503282.tif 000012
【図１０Ａ】
2007503282.tif 000013
【図１０Ｂ】
2007503282.tif 000014
【図１１】
2007503282.tif 000015
【国際調査報告】
2007503282.tif 000016